Podtech/llm-jp-corpus-v4-ja_patent huggingface dataset:
(57)【要約】      （修正有）【課題】柔軟性、断熱性、耐久性、耐水性、難燃性を考慮した畳であり、表面洗浄が可能でシックハウス症候群の対策が可能な軽量畳を提供する。【解決手段】化学発泡を用いない臨界発泡方式で製造されたオレフォン系樹脂を芯材３とし、表面にオレフォン系表面材２を接合している。オレフィン樹脂を芯材に使用しているため、柔軟性、断熱性、耐久性、耐水性、難燃性があり水洗いが可能であり軽量である。超臨界発泡方式の樹脂を使用しているためホルムアルデヒドや硫黄、シロキサンアンモニアなどのアウトガスが非常に少なくシックハウス症候群の対策も可能である。【選択図】図１
0003192102.tif 000002
【実用新案登録請求の範囲】
【請求項１】
化学発泡を用いない超臨界発泡方式で製造された芯材とポリプロピレンを主とした素材の畳表を一体に固定したことを特徴とする軽量畳。
【請求項２】
環境素材で構築された表面を洗える請求項１に記載の軽量畳。
【考案の詳細な説明】
【技術分野】
【０００１】  本考案は、洗浄が可能で断熱性、耐久性に優れ環境にも考慮された軽量畳に関する。
【技術背景】
【０００２】  従来の軽量畳は、畳表はイ草が一般的であるが、樹脂製や和紙などを用いている。芯材となる畳床はグラスファイバーボード、プラスチックボードやダンボール、ベニヤ、藁などの素材で構成されている。
【０００３】  しかしながら、芯材が発泡スチロールなどでは吸湿性が悪く畳表と組み合わせるとカビが発生してしまう。またダニの問題も多く残っている。そのため防カビ材や防虫剤などの化学物質を多く含むものも作られている。畳は座ったり、横になったりして使うことが多く、化学物質が多いのは人体に悪影響を与えると考えられる。廃材になった場合リサイクルの問題も抱えている。畳表は何度も張り替えるがそのたびに新しい針穴が必要になり、畳床破断の原因となる。発泡スチロールの場合復元性が小さい為繰り返し加重がかかる場合部分的に薄くなるなどの欠点もある。重量も従来の畳より１０ｋｇ前後軽量化はされているが、誰もが持ち運べる重さにはいたっていない。
【考案の概要】
【考案が解決しようとする課題】
【０００４】  本考案は、以上のような従来の欠点に鑑み、防カビ材や防虫剤を使用せず人体、環境にもやさしく、畳の洗浄が可能となる軽量畳を提供する事を目的としている。【０００５】  本考案は、以上のような従来の欠点に鑑み、繰り返し加重がかかっても柔軟性、断熱性、耐久性が低下しない軽量畳を提供する事を目的としている。【０００６】  本考案は、以上のような従来の欠点に鑑み、燃焼処理が可能な軽量畳を提供する事を目的としている。
【課題を解決するための手段】
【０００７】  上記の目的を達成するために、本考察は、オレフィン系樹脂の畳表と化学発泡を用いない臨界発泡方式のオレフィン系樹脂の畳床を一体に固定したことを特徴とする軽量畳で構成している。
【考案の効果】
【０００８】  以上の説明から明らかなように、本考察にあっては次に列挙する効果が得られる。
（１）化学発泡を用いない臨界発泡方式のオレフィン系樹脂で構成されているので、軽量      化、洗浄、柔軟性、断熱性、耐久性のある軽量畳を提供することができる。
（２）前記（１）によって人体、環境に配慮した軽量畳を提供することができる。
（３）ホルムアルデヒトや硫黄、シロキサンアンモニアなどのアウトガスが非常に少ない      発泡体の為、シックハウス症候群の対策、燃焼処理が可能の軽量畳を提供すること      ができる。
【図面の簡単な説明】
【０００９】
【図１】本考案を実施するための最良の第１の形態の断面図である。
【考案を実施するための形態】
【００１０】  以下、本考案の実施の形態を図に基づいて説明する。
【実施例１】
【００１１】  図１は、本考案畳の断面図である。この軽量畳では畳床の芯材として化学発泡を用いない臨界発泡方式のオレフィン系の樹脂を使用している。オレフィン系樹脂は比重が軽く、防水、防湿、耐油、対薬品性に優れており高復元率、高耐久性、断熱性、クッション性がある。また、製品自体に毒性を含まず燃焼時に有害ガスを発生しない低ＶＯＣ素材である。【００１２】  畳表は樹脂製で形成されたものを接着した構造となっている。【００１３】  底面には滑り止めシートを接着した構造となっている。
【産業上の利用可能性】
【００１４】  本考案は、防災、福祉、育児、建築産業で利用される。
【符号の説明】
【００１５】１  畳縁
２  表（臨界発泡方式オレフィン系樹脂）
３  芯材（臨界発泡方式オレフィン系樹脂）
４  滑り止めシート
【図１】
0003192102.tif 000003
【手続補正書】
【提出日】平成26年3月17日(2014.3.17)
【手続補正１】
【補正対象書類名】実用新案登録請求の範囲
【補正対象項目名】全文
【補正方法】変更
【補正の内容】
【実用新案登録請求の範囲】
【請求項１】
化学発泡を用いない超臨界発泡方式で製造された芯材とポリプロピレンを主とした素材の畳表を一体に固定したことを特徴とする軽量畳。
(57)【要約】      （修正有）【課題】便座の蓋を手で持ち上げるとき、便座や便器に直接触れてしまうことのない洋式便器の便座と便座蓋を提供する。【解決手段】便座３に、便器から便座前方に突き出た便座用取っ手４を設け、便座蓋１を閉じて便座蓋が便座用取っ手を含む便座を覆った際に、便座用取っ手の両側部分と便座蓋の間に隙間を設け、その隙間を便座蓋用取っ手２とする。【選択図】図１
0003190512.tif 000002
【実用新案登録請求の範囲】
【請求項１】
便器と便座と便座蓋とを備える洋式便器において、前記便座には、便器から便座前方に突き出た便座用取っ手を設けるとともに、前記便座蓋を閉じて便座蓋が前記便座用取っ手を含む便座を覆った際に、前記便座用取っ手の両側部分と便座蓋の間の隙間を便座蓋用取っ手としたことを特徴とする洋式便器の便座と便座蓋。
【考案の詳細な説明】
【技術分野】
【０００１】
本考案は洋式便器の便座と便座の蓋に関する。
【背景技術】
【０００２】
従来の公衆が利用するトイレの便座蓋と便座は、一部自動で上がるものもあるが、ほとんどは手動で持ち上げなければならない。便座蓋を持ち上げるときには便座に、便座を持ち上げるときには便器に手が触れてしまう。
【０００３】
不特定多数の人が利用するトイレにおいて、便座や便器に手が触れ汚れたときには、使用前に手を洗うしかなかった。
【先行技術文献】
【特許文献】
【０００４】
【特許文献１】特開２０００−１７５８４５
【特許文献２】特開２０１１−１４７７４５
【考案の概要】
【考案が解決しようとする課題】
【０００５】
本考案に類似する先行技術として、特許文献１及び特許文献２に記載の技術が知られている。特許文献１に記載のものは、便座に便座より突出した取っ手を設け、この取っ手により便座及び便座蓋を持ち上げるものである。特許文献２に記載のものは、便座蓋と便座にそれぞれ便座蓋棒及び便座棒を取り付け、これらの棒を操作して便座蓋と便座を持ち上げるものである。
【０００６】
しかしながら、これらの先行技術によると、取っ手や便座蓋棒及び便座棒は後付で便座蓋と便座に取り付けるものであり、便座蓋と便座から外側に突出しており、邪魔になり危険であり、見栄えも良くない。
【０００７】
公衆が利用するコンビニエンスストアなどの男女兼用の便所で、特に便座を手で持ち上げ小用をする時に、手が便器に触れるため不快な思いをしていた。
【０００８】
また、便座の蓋を手で持ち上げるときにも、便座や便器に直接触れてしまい不衛生な思いをしていた。
本考案はこれらの課題を解消することが目的である。
【課題を解決するための手段】
【０００９】
本考案の洋式便器の便座と便座蓋は、便器と便座と便座蓋とを備える洋式便器において、前記便座には、便器から便座前方に突き出た便座用取っ手を設けるとともに、前記便座蓋を閉じて便座蓋が前記便座用取っ手を含む便座を覆った際に、前記便座用取っ手の両側部分と便座蓋の間の隙間を便座蓋用取っ手としたことを特徴とする。
【考案の効果】
【００１０】
上述のように本考案は、便座と便座蓋の両方の邪魔にならない箇所にそれぞれ取っ手部分を設けることにより、便座蓋や便座を持ち上げるときに、便座や便器に直接手が触れることなく使用することができるようになる。
【図面の簡単な説明】
【００１１】
【図１】本考案の実施形態の便座と便座蓋において、便座蓋を開いた状態を示す斜視図である。
【図２】（ａ）は本考案の実施形態の便座の三面図、（ｂ）は使用時の便座と便器の一部断面図である。
【図３】（ａ）は本考案の実施形態の便座蓋の三面図、（ｂ）は不使用時（便座蓋を閉じた時）の便座蓋、便座及び便器の一部断面図である。
【考案の実施するための形態】
【００１２】
以下、本考案の実施形態を図１〜図３に基づいて説明する。
図１は本考案に関わる便座と便座蓋において、便座蓋を開いた状態を示す斜視図である。
図２は本考案に関わる便座の三面図及び一部断面図を示したものであり、（ａ）は便座の三面図、（ｂ）は使用時の便座と便器の一部断面図（図２（ａ）のＡ〜断面図）である。
図３は本考案に関わる便座蓋の三面図及び一部断面図を示したものであり、（ａ）は便座蓋の三面図、（ｂ）は不使用時（便座蓋を閉じた時）の便座蓋、便座及び便器の一部断面図（図３（ａ）のＢ〜断面図）である。
【００１３】
これらの図において、１は便座蓋、３は便座であり、便座３の前部には三日月型の便座用取っ手４が、例えば長手幅ｌがｌ＝120mm〜20mm、短手幅ｓがｓ＝20mm〜40mm、厚さｔがｔ＝15mmの大きさで設けらている。
また、便座蓋１を閉じて便座蓋１が前記便座用取っ手４を含む便座３を覆った際に、
前記便座用取っ手４の両側部分と便座蓋１の間にできる隙間に便座蓋用取っ手２を便座蓋１に設けている。
そして、便座蓋１を閉じた際には、図３（ａ）に示すように便座用取っ手４と便座蓋用取っ手２が干渉することなく、うまく嵌め合わさるようになっている。
よって、使用時はもとより不使用時にも、便座蓋用取っ手２や便座用取っ手４が便器から突出することがないため、邪魔になることはなく見た目もスマートである。
【００１４】
上記構成によれば、小用のために便座蓋１と便座３を持ち上げる場合には、便座用取っ手４のみを掴んで便座３を持ち上げればよく、便座蓋１のみを持ち上げる場合には、便座蓋用取っ手２を掴んで便座蓋１を持ち上げればよい。
よって、直接便器や便座に手を触れることなく便座や便座蓋を持ち上げることができるので、衛生的であり不快な思いをすることがなくなる。
【符号の説明】
【００１５】
１ 便座蓋
２ 便座蓋用取っ手
３ 便座 
４ 便座用取っ手
【図２】
0003190512.tif 000003
【図３】
0003190512.tif 000004
【図１】
0003190512.tif 000005
(57)【要約】      （修正有）【課題】斜めに圧迫される胸の不快さと、シートベルトによって胸の形を悪くするのではという危惧を払拭するバスト・ディフェンダーを提供する。【解決手段】自動車本体と接続しているシートベルトの右肩部輪に、バスト・ディフェンダー４のベルト紐を通し、バックル５で仮固定する。女性の胸部に当たるシートベルト中央付近で、弾性体の凹凸が女性の胸部にフィットするよう位置を調節したら、面ファスナー３でシートベルト中央付近を挟み、ベルト紐４の長さをバックルで最終調整する。通気性を考慮し、弾性体は数センチ口径の円筒形のバストの曲線に沿った高さの物が数センチごとに並び、またできる限りメッシュ構造とする。【選択図】図１
0003190505.tif 000002
【実用新案登録請求の範囲】
【請求項１】
自動車座席のシートベルトに装着し、シートベルトと体の間に、バストの曲線に沿った柔らかで通気性の有る弾性体の物を挟んだ、バスト・ディフェンダー。
【考案の詳細な説明】
【技術分野】
【０００１】本考案は、自動車のシートベルトに改良を付加する、付属物に関するものである。
【背景技術】
【０００２】自動車に女性が運転座席に座る際、自動車付属のシートベルトを着用するだけだった。
【考案の概要】
【考案が解決しようとする課題】
【０００３】女性が自動車座席のシートベルトを着用する際、各バストを中央から外側に向け、斜めに圧迫する。これが不快であり、また、バストの形を悪くするのではという危惧を抱かせる。従って、シートベルト本来の役目を全うさせつつ、前述の欠点を解決しようとするものである。
【課題を解決するための手段】
【０００４】本考案は、シートベルトと体の間に体の線に沿った柔らかで通気性の有る弾性体の物を挟んでいる。
【考案の効果】
【０００５】シートベルトを着用する際に本考案のバスト・ディフェンダーを着用する事で、斜めに圧迫される胸の不快さと、シートベルトによって胸の形を悪くするのではという危惧を払拭する事が出来る。
【図面の簡単な説明】
【０００６】
【図１】本考案のバスト・ディフェンダーの実施例を示す図である。
【図２】本考案のバスト・ディフェンダーの裏側に並ぶ円筒形のスポンジ状の物の凹み図である。
【考案を実施するための形態】
【０００７】シートベルトと女性の胸部との間に挟む本体部分と、ベルト部分から成る。
【実施例】
【０００８】以下、添付図面に従って実施例を説明する。自動車本体と接続しているシートベルトの右肩部輪に、本考案のバスト・ディフェンダーの４のベルト紐を通し、５のバックルで仮固定する。女性の胸部に当たるシートベルト中央付近で、２のスポンジ状の凹凸が女性の胸部にフィットするよう位置を調節したら、３のマジックテープでシートベルト中央付近を挟み、ベルト紐の長さを５のバックルで最終調整する。もし１の本体がズリ落ちないベルト以上に簡易で軽量な方法が有るなら、そちらを採用する。通気性を考慮し、２は数センチ口径の円筒形のバストの曲線に沿った高さの通気性の弾性体の物が数センチごとに並び、またできる限りの部分はメッシュとする。これ以上に簡易で通気性の良い弾性体の形状が有るなら、そちらを採用する。
【符号の説明】  １  バスト・ディフェンダー本体
２  数センチ口径の円筒形のバストの曲線に沿った高さで数センチごとに並んだスポンジ状の物
３  マジックテープ
４  ベルト紐
５  バックル
【図１】
0003190505.tif 000003
【図２】
0003190505.tif 000004
(57)【要約】      （修正有）【課題】冷却機能が良く身体の柔軟な動作にフィット変形し、屋内外での作業効率を高めるクールシャツを提供する。【解決手段】シャツの少なくとも脇部と背中部にポケットＰ１，Ｐ２，Ｐ５，Ｐ６を設け、ポケットに単数又は複数枚の冷却剤１００を収容した袋１０１を交換可能に挿入する。冷却剤は、高吸水性樹脂、不凍剤、乳化剤及び界面活性剤を入れた凍結しない且つ結露しない可撓性のあるゲル状或いは粒状或いはシート状の冷却剤とする。【選択図】図１
0003190506.tif 000002
【実用新案登録請求の範囲】
【請求項１】
シャツの少なくとも脇部と背中部にポケットを設け、前記ポケットに単数又は複数枚の冷却剤を収容した袋を交換可能に挿入し、前記冷却剤は、高吸水性樹脂、不凍剤、乳化剤及び界面活性剤を入れた凍結しない且つ結露しない可撓性のあるゲル状或いは粒状或いはシート状の冷却剤にしたことを特徴とするクールシャツ。
【考案の詳細な説明】
【技術分野】
【０００１】  本考案は、特に炎天下の夏場において、各種の屋内外作業等が、安全に且つ作業効率を高めるために利用する保冷剤（冷却剤を含む）収容袋を内設のクールシャツに関するものである。
【背景技術】
【０００２】  特に炎天下の夏場において、例えば各種建設現場における各種の屋内外作業では、クールシャツは作業者の重要なアイテムである。【０００３】  従来保冷剤を内設した警備用の安全チョッキ、ネクタイ、首巻付け冷却器具等が公知である。【０００４】警備用の安全チョッキは、保冷体を、安全チョッキの背面部と肩からベルト部に下げた肩掛けの前面部に取り付けられる。【０００５】前記ネクタイは、吸水性繊維又は吸水性物の生地に保冷剤を収納するためのポケット部を設けたものである。【０００６】首巻付け冷却器具は、円弧状に湾曲し、帯状に形成された外袋と、保冷剤を収容した複数の内袋を前記外袋の長手方向に連結部を介して連結した状態で、前記外袋に収容される内袋連結体とを備え、前記内袋連結体の各連結部は、前記外袋の円弧の凸側において、切り込みが形成されている。
【考案の概要】
【考案が解決しようとする課題】
【０００７】  本考案は簡単な構成でポケット内に冷却機能が良く身体の柔軟な動作にフィット変形する可撓性に優れた冷却剤の収容袋を挿入して、当該屋内外での作業性に影響のない且つ作業効率を高めるクールシャツを提供する。
【課題を解決するための手段】
【０００８】上記課題を満足させる本考案の基本的な技術構成は、次の（１）の通りである。
（１）、シャツの少なくとも脇部と背中部にポケットを設け、前記ポケットに単数又は複数の保冷剤（冷却剤、蓄冷剤等を含め）を収容した袋を交換可能に挿入したことを特徴とするクールシャツ。
【考案の効果】
【０００９】本考案のクールシャツは、簡単な構成で脇下及び背中に配置のポケット内冷却剤から身体の脇下及び背中への冷却機能が良く、しかも冷却剤は、当該ポケットと共に動作に柔軟にフィット変形する可撓性に優れ、当該屋内外での作業性に影響がない。またポケット内冷却剤を冷却能低下に伴い交互に入れ替えることにより身体の当該部位の保冷効果を長時間有効に維持し作業効率を高位に安全に維持する。
【図面の簡単な説明】
【００１０】
【図１】本考案の実施例の作業用のクールシャツを示す正面説明図である。
【図２】図１に示す前記クールシャツの背面説明図である。
【図３】図１〜図２に示す各ポケットＰ１〜Ｐ７を（１）に示し、それに挿入する冷却剤１００の収容袋１０１の身体側表面図を（２）に示す。
【考案を実施するための形態】
【００１１】  本考案において、保冷剤とは高吸水性樹脂、不凍剤、乳化剤及び界面活性剤を入れた凍結しない且つ結露しない可撓性のあるゲル状或いは粒状或いはシート状の保冷剤を言う。この保冷剤を収容する袋は、合成樹脂製の透明、不透明、半透明等の袋を言う。また保冷剤を収容した袋を交換可能に挿入するポケットは、挿入口をそのまま開放したもの或いは適宜な開閉具を設けてよく、材質としてはポリエステル繊維布、ナイロン繊維布、木綿布、絹布、或いはこれらの適宜な混紡布或いは不繊布製であればよい。
開閉具は、前記冷却剤１００の収容袋１０１をポケットから取り出し交換する際に用いると共に、収容袋１０１の使用中の飛び出しや、はみ出しを防止するもので、開閉エプロン、開閉チャック、面ファスナー（商標：マジックテープ）等の開閉ファスナ又はジッパー或いはボタン、ホック、安全ピン、その他の適宜な公知のクリップを言う
【実施例】
【００１２】  本考案の実施例のクールシャツを図１〜図３と共に説明する。
本考案の実施例のクールシャツは、図１と図２に示すように、少なくとも脇部と背中部に上端部開放型のポケットＰ１〜Ｐ４を設け、本例では胸部と背中部の中央にもポケットＰ５〜Ｐ７を設けてある。
前記各ポケットＰ１〜Ｐ７に図３に示すように保冷剤１００の収容袋１０１を単数袋又は複数袋を交換可能に上方挿入する。【００１３】前記保冷剤１００は、高吸水性樹脂、不凍剤、乳化剤及び界面活性剤を入れた凍結しない可撓性のあるゲル状或いは粒状或いはシート状の保冷剤である。
本例は、８５ｍｍ幅×９０ｍｍ縦×０．５ｍｍ厚のナイロンフィルム製の収容袋１０１に保冷剤としてイノアック社製の高吸水性ポリマーのゲル状タイプの保冷剤（蓄冷剤）１００を収容したものである。【００１４】前記当該ポケットＰ１〜Ｐ７は、シャツと同じ生地にして上端開放部をそのまま或いは前記した各例から選択した開閉具Ｃ０（本例は面ファスナー）を設ける。
当該ポケットＰ１〜Ｐ７は、シャツと同じ布地で良いが、内面側即ち身体表面側をメッシュ布Ｍで形成して通気性を良くし冷却効能を高めてもよい。
メッシュ布Ｍは、当該ポケットの外側即ち反身体側になるシャツ本体にも布地の代わりに設けて通気性を良好にしてもよい。
【産業上の利用可能性】
【００１５】  本考案は前記した優れた作用効果を呈するものである。このため、特に各種建設業界及び植木剪定等の造園業界等で従事する作業者の暑さ対策に貢献すること多大なものがある。
【符号の説明】
【００１６】Ｐ１〜Ｐ７：クールシャツの裏面（裏地）に配置した上端部開放型のポケット
１００：保冷剤
１０１：収容袋
Ｃ０：開閉具
Ｍ：メッシュ布
【図１】
0003190506.tif 000003
【図２】
0003190506.tif 000004
【図３】
0003190506.tif 000005
(57)【要約】      （修正有）【課題】かつらや部分かつらが持ち上がったり、ズレたり、外れたりせずに頭部に安定した装着と密着を可能にし、取り付け取り外しが簡単に出来、所定の位置に容易に装着する事が出来るかつらを提供する。【解決手段】片面にフック面を設けてなる面ファスナー５の裏面に人毛もしくは人工毛２を直接植毛してなることを特徴とする。【選択図】図１
0003190507.tif 000002
【実用新案登録請求の範囲】
【請求項１】
片面にフック面を設けてなる面ファスナーの、裏面に人毛もしくは人工毛を直接植毛してなることを特徴とする、かつら。
【考案の詳細な説明】
【技術分野】
【０００１】  本考案はかつらに関する。更に詳しくは薄毛に悩む人に好適な部分かつらに適するかつらに関する。
【背景技術】
【０００２】  一般にかつら、又、特に部分かつらは装着している事がわからない様に自然に見せることができるようにとの要望がある。更に、最近は円形脱毛症に対応できる部分かつらの要望も多い。【０００３】  上記要求を満足する装着方法については従来から様々な方法が提案されている。その代表的な方法は両面テープや接着剤を用いてかつら、部分かつらを使用者の頭皮に直接貼り付ける方法、金属製のクリップを用いてかつら、部分かつらを使用者の自毛に取り付ける方法，また人毛又は人工毛を植毛させたネットの網目より自毛を引き出して人毛又は人工毛と混毛させて頭部に保持する方法などがある。又ネットやレースのベース部に植毛され、そのベース部の裏面全体に面ファスナーが設けられているものなどがある。【０００４】  又、特許文献１に記載のかつらや、特許文献２に記載のかつらは、ネットやレースのベース部に植毛されたベース部の裏面全体に面ファスナーが設けられているものは、ネットやレースに植毛されたかつらベース部と面ファスナーを貼り合わせるため、二重になり、装着感と密着性は優れたものであるが分厚くなり、使い心地も悪かった。又、ネットやレースに植毛されたベース部と面ファスナーとの接合のために手間が掛かっていた。
【先行技術文献】
【特許文献】
【０００５】
【特許文献１】  実用新案登録  第３１７９８３３号公報
【特許文献２】  実用新案登録  第３１８３３０４号公報
【考案の概要】
【考案が解決しようとする課題】
【０００６】  本考案の課題はかつら、特に部分かつらが分厚くなって使用の快適感をそがないようにすることが目的である。又製造容易とする構造を実現することを目的とする。
【課題を解決するための手段】
【０００７】  本考案は片面にフック面を設けてなる面ファスナーの、該面ファスナーに人毛もしくは人工毛を直接植毛してなることを特徴とする。【０００８】  本考案は、上記の面ファスナーに直接植毛している、  直接植毛とは人毛もしくは人工毛をベース部に人の手などで縫いつけることをいう。又、刺繍ミシンを用いて植毛してもよい。
【考案の効果】
【０００９】  本考案のかつら、部分かつらは、植毛するべきベース部として、面ファスナーに直接植毛するので、軽くすることが出来、製作する上でも簡素化することができる。そうして直接希望の位置に装着出来、装着面全体に密着することができるので、浮き上がりもズレも生じることなく安心して使用することが出来る。
【図面の簡単な説明】
【００１０】
【図１】  かつらの平面図である。
【図２】  かつらの断面図である。
【考案を実施するための形態】
【００１１】以下本考案の実施の形態に係わる部分かつらについて図を用いて説明を行う。
【００１２】  図１は実施の形態のかつら１の全体を示す平面図である。図１においてかつら１は主に人毛又は人工毛２を植毛する為の面ファスナー５に直に植毛された図である。
図２は面ファスナーの上端部のフック部の形状を表しており、人毛又は人工毛がバック層３を通して面ファスナーに直に植毛された断面図である。
【００１３】  そうして面ファスナー５の裏面に直に人毛又は人工毛が植毛されている。面ファスナーの生地はポリプロピレンのモノフィラメントからなる平織り物である。バック層３はポリウレタンやポリエステルなどの樹脂液を塗工することで形成されるものである。バック層３は可及的に薄く形成するのが植毛性には都合がよい。その為、バック層３は０．３ｍｍ以下であることが望ましい。
この様にして面ファスナー５のフック部４の先端にマッシュルーム状のフック部３を多数形成する事により装着時の密着度が高まりズレ難く、外れ難いかつらとする事ができる。
尚、用途により面ファスナーに、別途クリップなどを併用してもよい。
【００１４】  ここで使用する面ファスナー５は、ポリエステル、ポリプロピレン、ナイロン、及びアクリル等の素材が適している。又バック層部分３はポリウレタンやポリエステルの樹脂の素材が適している。面ファスナー部材は密集した櫛歯状に形成されており、又その先端はマッシュルーム状に形成されている。
【符号の説明】
【００１５】１    かつら
２    人毛  又は  人工毛
３    バック層
４    フック部
５    面ファスナー
【図１】
0003190507.tif 000003
【図２】
0003190507.tif 000004
(57)【要約】      （修正有）【課題】播種苗，挿し木苗等を育成し植付け作業をする際に用いるチューブ苗ポットにおいて、苗木をポットに植えるまでのポットの嵩を小さくすることで取扱いを容易とし、育苗中は根の成長に伴うルーピングの発生を抑えることを可能とし、かつ、ポット自体の材料が生分解性の材料で構成されているため、根の発達につれポット自体が消滅し、根を阻害することがないようにしたチューブ苗ポットを提供する。【解決手段】生分解性素材よりなるチューブ体２を、その軸線方向の所定長さを保持して切断すると共に、その切断端縁３の一方に近く、チューブ体を横切ってチューブ体の表面側地４と裏面側地５とを接合してなる帯状接合部６を設けると共に、チューブ体壁面には複数の穿孔７を設けた。【選択図】図１
0003190526.tif 000002
【実用新案登録請求の範囲】
【請求項１】
生分解性素材よりなるチューブ体を、その軸線方向の所定長さを保持して切断すると共に、その切断端縁の一方に近く、チューブ体を横切ってチューブ体の表面側地と裏面側地とを接合してなる帯状接合部を設けると共に、チューブ体壁面には複数の穿孔を設けたことを特徴とするチューブ苗ポット。 
【考案の詳細な説明】
【技術分野】
【０００１】
本考案は、挿し木苗等の生産時、苗木の養生に使用するためのチューブ状形態をしたチューブ苗ポットに関する。
【背景技術】
【０００２】
従来、植林のための苗木の育成は、播種，植木等により行われているが、通常の苗（裸苗）は養生期間が３年と長く、その間手入必要であり、枯死する比率が高かった（特許文献１参照）。
【０００３】
そこで、播種後の管理育成を容易にするためにポットに培土を入れ播種をし或は苗木を植え込むことが行われたが、ポットと云う形状のために嵩が大きくなり、量が増加すると作業効率が上がらないと云う事態となった。
また、根のルーピングを防ぐためにポット内面に苗木の成長につれ発達した根がポット内で巻回成長しルーピングが生じ育苗に差支えが生ずることにもなった。
【先行技術文献】
【特許文献】
【０００４】
【特許文献１】特開平１１−２６６７１４号公報
【考案の概要】
【考案が解決しようとする課題】
【０００５】
本考案ポットは上記の点に鑑みて、播種苗，挿し木苗等を育成し植付け作業をする際に用いるチューブ苗ポットにおいて、苗木をポットに植えるまでのポットの嵩を小さくすることで取扱いを容易とし、育苗中は根の成長に伴うルーピングの発生を抑えることを可能とし、かつ、ポット自体の材料を生分解性の材料で構成することにより、根の発達につれポット自体が消滅し、根を阻害することがないようにしたことを特徴としている。
【課題を解決するための手段】
【０００６】
請求項１記載の考案は、生分解性素材よりなるチューブ体を、その軸線方向の所定長さを保持して切断すると共に、その切断端縁の一方に近く、チューブ体を横切ってチューブ体の表面側地と裏面側地とを接合してなる帯状接合部を設けると共に、チューブ体壁面には複数の穿孔を設けたことを特徴とする。
【考案の効果】
【０００７】
本考案チューブ苗ポットは、生分解性素材よりなるチューブ体をその軸方向の所定長さを保持した状態で切断すると共に、その切断端部の一方に近く、チューブ体を横切って、チューブ体の表面側地と裏面側地とを接合してなる帯状接合部を設けているため、苗ポット不使用の際には、苗ポットを潰して折り畳み重ねて置くことが出来、苗ポットの嵩を小さく出来、その取扱いは極めて簡便になる。
【０００８】
また、本考案チューブ苗ポットは、生分解性チューブ体よりなるものであるため、苗植付けからの時間の経過と共にチューブ体が分解し、その存在が認められなくなるために苗の根の成長も自在となり、その成長を阻害するようなことはない。
更に、本考案チューブ苗ポットは、チューブ体壁面に複数の穿孔を設けているため通水性を良好に保ち、かつ、根の張りを広くすることが出来、かつ、ルーピングの発生を阻止することを可能とする。
【図面の簡単な説明】
【０００９】
【図１】本考案チューブ苗ポットの正面図。
【図２】同右側側面図。
【図３】同平面図。
【図４】図２におけるＡ−Ａ線断面図。
【考案を実施するための形態】
【００１０】
本考案チューブ苗ポット１の実施の形態を図面と共に次に説明する。
チューブ苗ポット１は、生分解性シートよりなり、図４に示す長手方向軸Ｘ−Ｘ方向に伸びるチューブ体２を基礎とし、チューブ体２を偏平に押し潰した状態で、軸Ｘ−Ｘ方向において所定長さＬに切断される。
【００１１】
切断されたチューブ体２の両端に生ずる切断端縁３，３の一方（例えば図１，図４において下位の切断端縁）に沿ってチューブ体２を横切って、チューブ体の表面側地４と裏面側地５とを融着接合した、帯状接合部６によってチューブ苗ポット１が形成される。帯状接合部６は表裏側地４，５を切断と同時に熱融着するのが好ましいが接着剤を用いて接着しても差し支えないが、チューブ体２を切断端縁３において長さＬに切断する際に、熱融着手段（図示せず）によって帯状融着部６を熱融着する手段を講ずれば、チューブ体２を１動作で所定長さに切断し、かつ、通水孔７を有する袋状のチューブ苗ポット１を１動作で作り得る。
【００１２】
本考案チューブ苗ポット１を使用する際は、チューブ体２の帯状接着部６が設けられていない開口部８から肥培用土、その他と共に苗木の根部をチューブ苗ポット１内に挿入し、所定の期間育苗後、林地に植付けするが、本考案ポットは、生分解性素材を使用しているために植栽時にポットを苗から取り外す必要がなく、より作業量を縮小でき、かつ、チューブ苗ポットに排水用の穴を有することで根のルーピングの発生を防ぐことも出来る。
【符号の説明】
【００１３】
１  チューブ苗ポット
２  チューブ体
３  切断端縁
４  表面側地
５  裏面側地
６  帯状接合部
７  穿孔
８  開口部
Ｘ  軸
Ｌ  長さ 
【図１】
0003190526.tif 000003
【図２】
0003190526.tif 000004
【図３】
0003190526.tif 000005
【図４】
0003190526.tif 000006
(57)【要約】【課題】バッグに簡単に取り付けられて装飾効果を発揮するバッグハンドル用カバーを提供する。【解決手段】バッグの持ち手部分に着脱自在に取り付けて使用するカバーであって、薄手の生地１１の長手方向の両サイド縁部１２ａ、１２ｂに沿って２本のゴムを通して縮ませるとともに、薄手の生地１１の長手方向の両サイド縁部１２ａ、１２ｂに係止手段（スナップボタン２０）を設ける。また、薄手の生地１１の各両端部１３ａ、１３ｂに一対の紐３０を設ける。【選択図】図１
0003190566.tif 000002
【実用新案登録請求の範囲】
【請求項１】
バッグの持ち手部分に着脱自在に取り付けて使用するカバーであって、薄手の生地の長手方向の両サイド縁部に沿って２本のゴムを通して縮ませるとともに、前記薄手の生地の長手方向の両サイド縁部に係止手段を設けたことを特徴とするバッグハンドル用カバー。
【請求項２】
前記薄手の生地の各両端部に一対の紐を設けたことを特徴とする請求項１に記載のバッグハンドル用カバー。
【考案の詳細な説明】
【技術分野】
【０００１】
本考案は、バッグハンドル用カバーに関する。
【背景技術】
【０００２】
バッグの外装のデザインを自由に変更できるバッグに関しては、特開２００６−４２８５８号公報（特許文献１）には、上部が開口した袋体の開口部端縁に提げ手を設けるとともに袋体の外側面に提げ手に沿って第一の係合手段を設けたバッグ本体と、略長方形形状のシート状部材であって一辺に第一の係合手段と着脱自在に係合する第二の係合手段を備えるとともに提げ手を挿通する通し穴を設けた蓋体と、からなり必要に応じてシート状部材をバッグ本体に被せてバッグ本体の外装を変更する「手提げバッグ」の考案が提案されている。
【０００３】
また、携帯用バッグに自分好みのアクセサリーの装着を出来るようにするバッグに関しては、実用新案登録第３１１２２９１号公報（特許文献２）には、手紐と収容袋とでなる携帯用バックのその収容袋の露出面の一部に小穴を数個開口し、それらの小穴にめくらふたを着脱自在手段で係止し、めくらふたなしでの小穴に自分好みのアクセサリーを装着入替え可能な構成でのバックにする「アクセサリー入替え小穴付バッグ」の考案が提案されている。
【０００４】
また、バッグにおける刺繍の位置や大きさ、形状についての制約を減少して、刺繍デザインの自由度の高いバッグに関しては、実用新案登録第３１６３１２１号公報（特許文献３）には、バッグ本体と、ユーザが刺繍を施すことが可能な生地で構成されて、前記バッグ本体の外周面を巻いた状態でバッグ本体に着脱可能に装着される刺繍用シートとを備える。望ましくは、刺繍用シートが装着された状態のバッグ本体の略全面を覆う袋状の透明カバーが装着される「バッグ」の考案が提案されている。
【先行技術文献】
【特許文献】
【０００５】
【特許文献１】特開２００６−４２８５８号公報
【特許文献２】実用新案登録第３１１２２９１号公報
【特許文献３】実用新案登録第３１６３１２１号公報
【考案の概要】
【考案が解決しようとする課題】
【０００６】
本考案は、バッグに簡単に取り付けられて装飾効果を発揮するバッグハンドル用カバーを提供することを目的とする。
【課題を解決するための手段】
【０００７】
上記の課題を解決するために、請求項１に記載の考案は、バッグの持ち手部分に着脱自在に取り付けて使用するカバーであって、薄手の生地の長手方向の両サイド縁部に沿って２本のゴムを通して縮ませるとともに、前記薄手の生地の長手方向の両サイド縁部に係止手段を設けたことを特徴とする。
【０００８】
また、請求項２に記載の考案は、請求項１に記載の前記薄手の生地の各両端部に一対の紐を設けたことを特徴とする。
【考案の効果】
【０００９】
以上のように、本考案にかかるバッグハンドル用カバーは、バッグの持ち手部分に着脱自在に取り付けて使用でき、任意のバッグに簡単に取り付けられ、装飾効果を発揮することができる。
【図面の簡単な説明】
【００１０】
【図１】バッグハンドル用カバーの一例を示す正面図である。
【図２】バッグハンドル用カバーの一例を示す背面図である。
【図３】バッグハンドル用カバーの使用状態を示す説明図である。
【考案を実施するための形態】
【００１１】
以下、本考案の実施の形態について図面を参酌しながら説明する。
なお、本考案にかかるバッグハンドル用カバーは、以下の実施例に限定されるものではなく、内容及び形態等は使用状況によって適宜変更することができる。
【００１２】
図１はバッグハンドル用カバーの一例を示す正面図、図２はバッグハンドル用カバーの一例を示す背面図であるである。
バッグハンドル用カバー１０の本体部は、薄手の生地１１の長手方向の両サイド縁部１２ａ、１２ｂに沿って２本のゴムを通してシュシュ（装身具）の如く縮ませたものである。
【００１３】
また、薄手の生地１１の長手方向の両サイド縁部１２ａ、１２ｂには、所定間隔をあけて対向する位置に係止手段（スナップボタン２０）が複数個設けられている。なお、この係止手段は図示するボタンに限定されるものではなく、面ファスナー、紐等を採用することができる。
【００１４】
また、薄手の生地１１の各両端部１３ａ、１３ｂには、バッグの持ち手に括りつける一対の紐３０ａ、３０ｂ、３０ｃ、３０ｄが設けられている。
【００１５】
バッグハンドル用カバー１０を使用する際は、図３に示すように本体部をバッグＡの持ち手Ａ１に１個ずつ被せた上で、薄手の生地１１の長手方向の両サイド縁部１２ａ、１２ｂに設けられている係止手段（スナップボタン２０）を用いて係止することにより、簡単に装着することができる（図３（ｂ）参照）。
【符号の説明】
【００１６】
Ａ  バッグ
Ａ１  持ち手
１０  バッグハンドル用カバー
１１  生地
１２  縁部
１３  端部
２０  スナップボタン
３０  紐
【図１】
0003190566.tif 000003
【図２】
0003190566.tif 000004
【図３】
0003190566.tif 000005
(57)【要約】      （修正有）【課題】従来からある豆腐に彩りを加え、手間をかけずともすぐおいしく食べられるようにする具入り豆腐を提供する。【解決手段】従来からある豆腐生地１に、製造段階から具２を混ぜ込み固める。【選択図】図１
0003190308.tif 000002
【実用新案登録請求の範囲】
【請求項１】
豆腐に製造段階から具や着色できるものを混ぜ込み、彩りよく手間をかけずにすぐ食べられる豆腐を提供することを特徴とする具入り豆腐
【考案の詳細な説明】
【技術分野】
【０００１】  本考案は、豆腐を製造する時に、いろいろな具を入れてつくる豆腐に関するものである。
【背景技術】
【０００２】  従来、豆腐は製造する時に具は何も入っておらず、調理の段階で具を混ぜこんでいた。
【考案の概要】
【考案が解決しようとする課題】
【０００３】  豆腐を調理の段階で具を混ぜるのではなく、最初から具入りですぐに手間なく、おいしく食べられる豆腐を提供する。
【課題を解決するための手段】
【０００４】  本考案は、製造段階で例えば抹茶や梅肉を混ぜこみ、固めて従来からと同じようにパック詰めにする。
【考案の効果】
【０００５】  豆腐を買ってきて、食するまでに殆どの場合一手間かけなければならなかった。最初から具が入っていれば、すぐに食べることができる。急な来客時など便利である。また、例えば梅肉や抹茶いりなどがあると、鍋物をした場合彩りが美しい。さらに、豆腐はカロリーが低いという利点がありダイエットをしている人に、低カロリーでおいしい食物を即座に提供できる可能性もある。
【図面の簡単な説明】
【０００６】
【図１】従来の豆腐に製造段階で梅肉を混ぜこんだもの
【考案を実施するための形態】
【０００７】従来の豆腐に、製造段階から具を混ぜこんで固める。
【実施例】
【０００８】  以下添付図に従って、一実施例を説明する。
１は、豆腐生地  ２は、混ぜ込まれた梅肉
【符号の説明】
【０００９】１  豆腐生地
２  混ぜ込まれた梅肉
【図１】
0003190308.tif 000003
(57)【要約】      （修正有）【課題】寒さを防ぎ、すきま風を防ぐマフラー付掛けふとんカバーを提供する。【解決手段】掛ふとんカバー１の襟の先端部分に保温のためのマフラー２（縦４０ｃｍ、横１００ｃｍ）のものを付けたもので、首すじ・肩から入り込むすきま風を防ぐものである。カバー１の裏の襟の部分を安全ピン３でしっかり止めたものであり、取り付けも簡単、取り外しも簡単にでき、又襟などの汚れも防ぐものであり、すきま風も防ぐものである。【選択図】図１
0003190307.tif 000002
【実用新案登録請求の範囲】
【請求項１】
掛ふとんカバーの裏側にマフラーを付けたもので、すきま風を防ぐものであり、又襟などの汚れを防ぐものであり、マフラー付掛ふとんカバー
【考案の詳細な説明】
【技術分野】
【０００１】本考案は掛ふとんカバーに付けたマフラーに関するものである。
【背景技術】
【０００２】寒い季節に入るとなかなか眠りにくいものであり首・肩などから隙間風が入るのを防ぐマフラーを付けることで自然に眠れる様にしたものである。
【先行技術文献】
【０００３】
【特許文献】
【特許文献】特開  ２０１２−０９５９９１号  公報
【考案の概要】
【考案が解決しようとする課題】
【０００４】適度な重さをもたせ又、縫い付けたふとんカバーである。
寒い季節に入るとなかなか眠りにくいものであり、毛布を引っ張ったり、毛布をかぶったりして余り良く眠りにくかった。
【課題を解決するための手段】
【０００５】掛ふとんカバーの裏の先端部分に保温のためのマフラー（縦４０ｃｍ、横１００ｃｍ）のものを付けたもので、首すじ・肩から入り込むすきま風を防ぐものである。
【考案の効果】
【０００６】カバーの裏の先端部分を安全ピンでしっかり止めたものであり、取り付けも簡単、取り外しも簡単にでき、又襟などの汚れも防ぐものであり、すきま風も防ぐものである。
【図面の簡単な説明】
【０００７】
【図１】  本考案の裏側からみた裏面図
【図２】  平面図
【本考案を実施するための形態】
【０００８】カバー自体を襟の部分にしっかりと安全ピンで止める。
【実施例】
【０００９】以下、添付図面に従って実施例を説明する。
１  カバー裏側の本体、２  保温性有るマフラー、３  安全ピン、４  平面図
以上もって掛けふとんカバー１００％ポリエステル系マフラー付本体である。
【実施例】
【００１０】本考案は掛ふとんカバーの裏側にマフラーを付けたものであり、マフラーの長さは自在に自分の長さに調整できるものであり、簡単なものであり、寒さを防ぎすきま風を防ぐ効果は最適であり、又襟の汚れも防ぐものであり、取り付けも簡単・取り外しも簡単、とても便利で洗濯も簡単にできるものである。
【符号の説明】
【００１１】１  裏側掛ふとんカバー
２  マフラー
３  安全ピン
４  平面図
【図１】
0003190307.tif 000003
【図２】
0003190307.tif 000004
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
掛ふとんカバーの裏側の襟の部分にマフラーを付たマフラー付掛ふとんカバー。
(57)【要約】      （修正有）【課題】壁際の清掃が可能で、清掃面積が拡大できるワイド型正装用粘着ロールクリーナーを提供する。【解決手段】ローラー支持軸Ｓの中央にロール支持部２を設け、軸Ｓの両端より第１及び第２の粘着ロール受け部Ｒ１，Ｒ２と第１及び第２のロール止め６２を挿入して固定した。 【選択図】図１
0003190317.tif 000002
【実用新案登録請求の範囲】
【請求項１】
ロール支持部と、前記ロール支持部を貫通し、両端が前記ロール支持部から突出したローラー支持軸と、前記ローラー支持軸の一方の端部から挿入された第１の粘着ロール受け部と、前記ローラー支持軸の他方の端部から挿入された第２の粘着ロール受け部とを備え、前記第１及び第２の粘着ロール受け部を介して粘着テープを２個直列に配置可能とし、前記ロール支持部に対しネジ込可能な枢軸部と、前記枢軸部を下端に取り付けた棒状の柄とを更に備えることを特徴とする請求項１記載のワイド型清掃用粘着ロールクリーナー。
【考案の詳細な説明】
【技術分野】
【０００１】
本考案は、清掃用粘着ロールクリーナーに関するものである。
【背景技術】
【０００２】
従来の粘着ロール式掃除具を使用して床の清掃をする場合、広範囲の清掃に時間を要し、また、ロール固定用の柄が接触して壁際の清掃には適していなかった。
【０００３】
この改善策として、清掃用粘着ロールクリーナーを横方向に並べ、ローラー取り付け部を中央部に設置した。
【先行技術文献】
【特許文献】
【０００４】
【特許文献１】特開平１１−８９７８７号公報
【特許文献２】特開２００４−２７５１９７号公報
【特許文献３】特開２０１３−１５８３７８公報
【０００５】
特許文献１に記載の発明はグリツプ付き支持体に間隔を置いて一側方に突出固定させたなローラー支持軸に粘着テ−プ巻付けロ−ル筒芯をローラー支持軸の芯軸に固着させることを特徴とする清掃用ローラーであるのに対し、本考案は、左右に突出固定させたローラー支持軸に粘着テープ巻きつけロール筒芯を固着させる方法を採用したことにより、１回の清掃面積を２倍に拡大することができ効率的な清掃が可能となる。更に、芯軸が中心から外方向に突出していることから、粘着テープ巻きつけロール筒芯先端部に障害物がなくなり、これまでできなかった壁際の清掃が端部を利用して効果的に実施できる。
【考案の概要】
【考案が解決しようとする課題】
【０００６】
解決しようとする問題点は、床の清掃を行う場合、これまでの清掃用粘着ローラーでは１回あたりの拭き取り面積が狭く、広範囲の清掃を行うには非効率であることや粘着ローラー支持軸が粘着ローラー端部よりも外側にはみ出ていることによりこれが障害となって壁際の清掃が困難であった。逆向きに使用した場合、粘着ローラーが逆回転となるため、ローラーに固着させている粘着テープが剥がれてしまう不都合も生じている。
【課題を解決するための手段】
【０００７】
本考案は、左右に突出固定させたローラー支持軸の両側から第１及び第２の粘着ロール受け部を固着させる方法を採用したことにより、清掃面積を拡大することが可能となった。更に、ローラー支持軸が中心から外方向に突出していることから、第１及び第２粘着ロール受け部の障害物を除去したことにより壁際の清掃を可能としたことが主な特徴である。
【考案の効果】
【０００８】
本考案のワイド型清掃用粘着ロールクリーナーは、１本のローラー支持軸がロール部支持部から左右に張り出す構造を採用したことにより、清掃面積を２倍に拡大し効率的な清掃が可能となる。更に、粘着ロール受け部の障害物を除去したことにより壁際の清掃が可能となる。
【図面の簡単な説明】
【０００９】
【図１】本考案の実施例を示す全景斜面図である。
【図２】本考案の実施例を示す柄取り付け部の分解斜面図である。
【考案を実施するための形態】
【００１０】
ローラー支持軸の中央にロール支持部を設け、ローラー支持軸の両端より第１及び第２の粘着ロール受け部と第１及び第２のロール止めを挿入して第１及び第２の粘着ロール受けを固定することにより、第１及び第２粘着ロール受け部を介して２個の粘着テープを直列に配置できる構造とした。更に棒状の柄の下端側に枢軸部を取り付け、枢軸部とロール支持部とを互いをねじ込み固定することにより、ローラー支持軸の中央に設けたロール支持部と枢軸部を着脱可能とした。これにより１回の清掃範囲を拡大することが可能となった。ローラー支持軸をロール支持部の中心から外方向に突出させることにより、第１及び第２の粘着ロール受け部の外側に設けた粘着テープ先端部の障害物が無くなり壁際の清掃を可能となる。
【実施例１】
【００１１】
以下、添付図面に従って実施例を示す。
図１は本考案の実施例１の全景斜面図、図２は柄取り付け部の分解斜面図である。ローラー支持軸（Ｓ）の中央にロール支持部（２）を設け、ローラー支持軸（Ｓ）の一方の側より第１の粘着ロール受け部（Ｒ１）を挿入し第１のロール止め（６１）を固定する。
軸（Ｓ）の他方の側より第２の粘着ロール受け部（Ｒ２）を挿入し、第２のロール止め（６２）で固定する。棒状の柄（１）の下端側に枢軸部（３）を取り付け、枢軸部（３）の下端には雄ネジ（４）を設ける。ロール支持部（２）の上部に雌ネジ（５）を設けることにより、ローラー支持軸（Ｓ）の中央に設けたロール支持部（２）と枢軸部（３）を雄ネジ（４）及び雌ネジ（５）による固定と分解が可能となる。
【００１２】
このような実施形態を採用したので、使用上、実効的に広範囲の清掃ができる効果がある。
【符号の説明】
【００１３】
１    ：柄
２    ：ロール支持部
３    ：枢軸部
４    ：雄ネジ
５    ：雌ネジ
６    ：ロール止め
Ｒ    ：粘着ロール受け
Ｓ    ：軸
【図１】
0003190317.tif 000003
【図２】
0003190317.tif 000004
(57)【要約】      （修正有）【課題】夜光反射の原理を利用し、夕暮れ時、夜間に視覚視認性を高め、目じるしとなり、その存在位置確認が素早くでき、平時から災害時・防災備蓄用として、また利便性に優れた夜光反射式キャップを提供する。【解決手段】ペットボトル２に取り付けた夜光反射式キャップ１において、キャップ１そのものをプラスチック・反射剤の合成により形成するか、またはプラスチック基材キャップ１に反射・夜光蛍光性の塗料をコーティングもしくは反射シールをテーピングした。【選択図】図１
0003190316.tif 000002
【実用新案登録請求の範囲】
【請求項１】
ペットボトル２に取り付けた夜光反射式ピカッとキャップにおいて、キャップ１そのものをプラスチック・反射剤の合成により形成する。またはプラスチック基材キャップ１に反射・夜光蛍光性の塗料をコーティング・反射シールをテーピングする。そのいずれかを用いて取り付けた夜光反射式ピカッとキャップ。
【考案の詳細な説明】
【技術分野】
【０００１】本考案は、夜光反射式ピカッとキャップに関する。
【背景技術】
【０００２】従来のペットボトル２のキャップ１はプラスチック製により形成され、カラー・形状ともに多様化してあった。
【考案の概要】
【考案が解決しようとする課題】
【０００３】しかしながら、従来のペットボトル２のキャップ１は、内容物の出し入れするときに開閉するだけのものであった。
【課題を解決するための手段】
【０００４】本考案は、従来のペットボトル２のキャップ１において、形状は多様であるが、キャップ１そのものをプラスチック・反射剤の合成により形成する。または、プラスチック基材キャップ１に反射・夜光蛍光性の塗料をコーティング・反射シールをテーピングする。
【考案の効果】
【０００５】本考案に係る夜光反射式ピカッとキャップは、夕暮れ時夜間において、光があたることにより反射し、暗闇ではキャップ１そのものが発光する。そして、その存在、位置確認が容易にできる。またデザインによって興味深く、美観を伴い楽しさも感じさせる。これによって、イン・アウトドアいつどこでも探しあてるときにも目じるしとなり視覚視認性が高められ、平時から、災害時防災備蓄用としても期待できる。
【図面の簡単な説明】
【０００６】
【図１】本考案に係る夜光反射式ピカッとキャップの斜視図である。
【考案を実施するための形態】
【０００７】図１に示すように、従来のペットボトル２のキャップ１は多様であるが、キャップ１をプラスチック・反射剤の合成により形成する。またはプラスチック基材キャップ１に反射・夜光蛍光性の塗料をコーティング・反射シールをテーピングした。本考案は以上のような構成と、これを取り付けることにより容易に目じるしとなり、利便性を高め、また平時から災害時・防災備蓄用としても役立てようとするものである。
【符号の説明】
【０００８】１  キャップ
２  ペットボトル
【図１】
0003190316.tif 000003
【手続補正書】
【提出日】平成26年1月31日(2014.1.31)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに取り付けた夜光反射式キャップにおいて、キャップそのものをプラスチック・反射剤の合成により形成するか、またはプラスチック基材キャップに反射・夜光蛍光性の塗料をコーティングもしくは反射シールをテーピングしたことを特徴とする夜光反射式キャップ。
【手続補正３】
【補正対象書類名】明細書
【補正対象項目名】０００１
【補正方法】変更
【補正の内容】
【０００１】本考案は、夜光反射式キャップに関する。
【手続補正４】
【補正対象書類名】明細書
【補正対象項目名】０００５
【補正方法】変更
【補正の内容】
【０００５】本考案に係る夜光反射式キャップは、夕暮れ時夜間において、光があたることにより反射し、暗闇ではキャップ１そのものが発光する。そして、その存在、位置確認が容易にできる。またデザインによって興味深く、美観を伴い楽しさも感じさせる。これによって、イン・アウトドアいつどこでも探しあてるときにも目じるしとなり視覚視認性が高められ、平時から、災害時防災備蓄用としても期待できる。
【手続補正５】
【補正対象書類名】明細書
【補正対象項目名】０００６
【補正方法】変更
【補正の内容】
【０００６】
【図１】本考案に係る夜光反射式キャップの斜視図である。